(57)【要約】【課題】  定着装置等で発生した熱により温かくなっている排風が操作者の顔などに掛かりにくい画像形成装置を提供する。【解決手段】  画像形成装置本体をなす画像形成部２０の背面側に、排風部３０を設ける。排風部３０は、上方側が下方側より背面側へ突出する段差状になっており、段差部分の下面に排風口を備え、装置本体内の熱気で温かくなっている排気を、装置背面側で下方へ吹き出させる。温かい空気が装置の前面側へ回り込みにくく、回り込んだとしても周囲の空気と混合して温度が下がり、操作者に当たっても不快感を生じさせることがなくなる【選択図】        図１
2005258474.tif 000002
【特許請求の範囲】
【請求項１】
画像形成装置本体の背面側に、上方側が下方側より背面側へ突出する段差部を設け、該段差部に、上記画像形成装置本体内の排気手段による排風口を下方へ向けて臨ませてなることを特徴とする画像形成装置。
【請求項２】
上記段差部の上記排風口を設けていない部位に、取っ手部を設けてなることを特徴とする請求項１の画像形成装置。
【請求項３】
上記取っ手部を上記段差部の最外縁から凹ませてなることを特徴とする請求項２の画像形成装置。
【請求項４】
上記取っ手部を上記段差部の上縁から下方へ突出させて設け、該取っ手部の一側に上記排風口を、他側に上記画像形成装置本体内への吸気口を設けてなることを特徴とする請求項２の画像形成装置。
【発明の詳細な説明】
【技術分野】
【０００１】
本発明は、複写機、ファクシミリ、プリンタ等の画像形成装置に関し、特に画像形成装置本体からの排風を改良してなる画像形成装置に関する。
【背景技術】
【０００２】
複写機等の画像形成装置の本体内には、動作をするときに発熱を伴う部品、装置が多く含まれている。この熱に起因して生じる機内温度上昇によって部品や装置の性能劣化、寿命低下が発生することを防止するために、一般的には装置本体内の空気を強制的に排出するための排気ファンと排風口を備えているものが多い。
【発明の開示】
【発明が解決しようとする課題】
【０００３】
一方、複写機等では設置スペースが狭くて済むように、壁等にぴったりと付けて配置できる本体構造を採用するものが増えている。ところが、排気口の近くに壁等があると排風ファンの排気効率が著しく低下しやすく、それでは排気装置を設けた目的が達成できないという問題が生じる。これを解決するために従来より種々の技術が提案されている。例えば装置本体の側面に排気口を設けたものがあるが、壁の凹んだ所で三方を囲まれる形で設置した場合には、装置本体側面からの排風が壁を伝って上昇し、生暖かいままの排風がすぐに操作者の体、特に顔や手に吹きつけることになりやすかった。また装置本体の背面側に排気口を上方へ向けて設けたものもあるが、やはりこの場合も排風が操作者の顔にかかりやすく、また上向きの排気口からほこりやごみが入りやすく、解決が望まれていた。
【０００４】
そこで本発明は、上記従来の問題点に鑑み、定着装置等で発生した熱により温かくなっている排風が操作者の顔などに掛かりにくい画像形成装置を提供することを目的とする。
【課題を解決するための手段】
【０００５】
本発明の画像形成装置のうち請求項１に係るものは、上記目的を達成するために、画像形成装置本体の背面側に、上方側が下方側より背面側へ突出する段差部を設け、該段差部に、上記画像形成装置本体内の排気手段による排風口を下方へ向けて臨ませてなることを特徴とする。
【０００６】
同請求項２に係るものは、上記段差部の上記排風口を設けていない部位に、取っ手部を設けてなることを特徴とする。
【０００７】
同請求項３に係るものは、上記取っ手部を上記段差部の最外縁から凹ませて設けてなることを特徴とする。
【０００８】
同請求項４に係るものは、上記取っ手部を上記段差部の上縁から下方へ突出させて設け、該取っ手部の一側に上記排風口を、他側に上記画像形成装置本体内への吸気口を設けてなることを特徴とする。
【発明の効果】
【０００９】
本発明に係る画像形成装置は、画像形成装置本体内で生じた熱気を装置の背面側で下方に吹き出すことになり、温かい空気が装置の前面側へ回り込みにくく、回り込んだとしても周囲の空気と混合して温度が下がり、操作者に当たっても不快感を生じさせることがなくなるという効果がある。
【発明を実施するための最良の形態】
【００１０】
以下本発明を実施するための最良の形態を、図に示す実施例を参照して説明する。
【実施例１】
【００１１】
図１は本発明に係る画像形成装置の一実施形態を示す正面側からの斜視図（Ａ）と背面側からの斜視図（Ｂ）である。この画像形成装置はコピー機能のみではなく、ファックス機能あるいはプリンタ機能を実現する複合機で、胴内排紙型等と称され、略中央にプリンタ部でもある画像形成装置本体としての画像形成部２０を配し、その直下に２段の給紙部２１を配し、画像形成部２０の上方に正面と図中左側（図１Ａにおける左）を開放した空間部を隔てて原稿の読取部２２を配し、画像形成部２０と読取部２２との間の空間部を排紙収納部２３とし、読取部２２の装置本体前側に複数の機能を操作するための操作部２４を設けてある。
【００１２】
図示は省略するが、画像形成部２０内には、像担持体としての感光体、感光体に静電潜像を形成する光書込み装置、感光体を帯電する帯電器、静電潜像を可視像化する現像装置、用紙に可視像を転写し搬送する転写装置、もっとも熱を発生させる装置であり用紙にトナー像を溶融定着するための定着装置等を備えている。
【００１３】
操作部２４は、上述の複数の機能を操作するためのコピースタートキー５３、テンキー５４、液晶表示部５５、コピー操作部５６等からなるコピー機能パネル部５７と、ダイヤルキー５８等からなるファックス機能パネル部５９とから構成してあり、両パネル部５７、５９が排紙収納部２３のほぼ全幅に渡って設けてある。なお図中６０は電源スイッチである。
【００１４】
また画像形成部２０は、図１（Ｂ）に示すように、背面側に排風部３０を備えている。この排風部３０は、図２によく示されるように、給紙部２１の背面よりもさらに背面側に突出するように段差をもって設けてある。
【００１５】
排風部３０は、図２〜図４からわかるように、画像形成部２０の背面に装着するパネル３１と、このパネル３１内側に形成した凹所３２、３３のいずれかあるいは双方に設ける図示せぬファンとからなる。パネル３１は、図示のように給紙部２１の背面と面一状態で設ける下側部３４と、給紙部２１の背面から段差分だけさらに背面側へ突出する上側部３５と、両部３４、３５の間に位置する段差面部３６その他周縁部等からなり、上述のファンを設けるための凹部３２、３３は上側部３５の内側に設けてあり、段差面部３６には多数のスリット３７で形成される排風口３８と吸気口３９が左右に位置するように設けてある。またパネル３１の凹部３２、３３は、ファンを取り付ける上部を残し、下部をパネル材４０で覆って通風路を形成するようになっている。なおパネル３１の表面は画像形成部２０の背面を構成するが、この面は平坦面としてあり、このため画像形成装置を壁等にごく近付けても設置できる。
【００１６】
また吸気口３９側には吸気ファンを設けてもよいが、設けなくても排風口３８からの排気によって画像形成装置内外に圧力差が生じ、これによって空気の自然循環が起きる。なお図示の実施例では、吸気口３９の下側に電源供給用のコネクタ等を取り付けてあるが、広い範囲で塞ぐのでなければ通気を妨げることはない。
【００１７】
また排風口３８と吸気口３９の間には、上側部３５の中央部から下側部３４の下縁までまっすぐ垂下する形で設けた取っ手部４１が形成してある。この取っ手部４１の中央部は、図示のように下縁から若干上方へ向けて凹ませてあり、この凹みが手掛け４２となっている。なおこの手掛け４２の部分は、若干厚みを持たせて強度を上げてあり、運搬時等に力が掛かっても変形、破損等が生じないようにしてある。なおこの取っ手部４１は、図２に示すように、排風口３８、吸気口３９の間を区分して、排風口３８からの排気と吸気口３９からの吸気の流れをお互いに妨げないようにしてある。
【００１８】
上述してきた画像形成装置の背面を図５に示すように壁４３にぴったりと付けて作動させたとすると、画像形成部２０内で生じた熱気は、排風部３０の排風口３８からパネル３１の下側部３４及び給紙部２１の背面と壁４３との間を下方へ向けて吹き出される。この空気流は、周囲の空気よりも温度が高い場合がほとんどであるので、画像形成部２０の側面近傍等から、また背面側からも結局は上昇してゆくが、それまでに周囲の空気と混ざって温度が低下するので、かりに画像形成装置の前面側へ回り込んで操作者に吹きかかったとしても、操作者が熱気や温かさを感じることはほとんどない。
【００１９】
本発明に係る画像形成装置は、以上説明してきたように、画像形成装置本体の背面側に設けた上方側が下方側より背面側へ突出する段差部に、画像形成装置本体内の排気手段による排風口を下方へ向けて臨ませてなるので、画像形成装置本体内で生じた熱気を装置の背面側で下方に吹き出すことになり、温かい空気が装置の前面側へ回り込みにくく、回り込んだとしても周囲の空気と混合して温度が下がり、操作者に当たっても不快感を生じさせることがなくなる。
【００２０】
また、画像形成装置本体の背面側に設けた段差部の排風口を設けていない部位に取っ手部を設けてなるので、運搬等での位置の移動がやりやすくなる。
【００２１】
また、取っ手部を段差部の最外縁から凹ませてなるので、運搬時等に手がかりを探すときに見つけやすく、破損しやすい排風口を設けた部位を持たれにくくなる。
【００２２】
さらに、取っ手部を段差部の上縁から下方へ突出させて設け、その一側に排風口を設け、他側に画像形成装置本体内への吸気口を設けてなるので、取っ手部によって排風口からの排気の流れと吸気口への外気の流れを区切り、お互いに妨げないようにすることができる。
【図面の簡単な説明】
【００２３】
【図１】本発明に係る画像形成装置の一実施形態を示す正面側からの斜視図（Ａ）と背面側からの斜視図（Ｂ）である。
【図２】図１の画像形成装置を背面側の斜め下方から見て示す拡大斜視図である。
【図３】排風部を形成するパネルの内部構造を示す正面図である。
【図４】図３のパネルの排風口と吸気口及び取っ手部を示す底面側から見た斜視図である。
【図５】図１の画像形成装置における排気の流れを示すための側面図である。
【符号の説明】
【００２４】
２０  画像形成部
２１  給紙部
２２  読取部
２３  排紙収納部
２４  操作部
３０  排風部
３１  パネル
３２、３３  パネル内の凹所
３４  パネルの下側部
３５  同上側部
３６  段差面部
３７  スリット
３８  排風口
３９  吸気口
４０  パネル材
４１  取っ手部
４２  手掛け
４３  壁
５３  コピースタートキー
５４  テンキー
５５  液晶表示部
５６  コピー操作部
５７  コピー機能パネル部
５８  ダイヤルキー
５９  ファックス機能パネル部
６０  電源スイッチ
【図１】
2005258474.tif 000003
【図２】
2005258474.tif 000004
【図３】
2005258474.tif 000005
【図４】
2005258474.tif 000006
【図５】
2005258474.tif 000007
【手続補正書】
【提出日】平成17年7月5日(2005.7.5)
【手続補正１】
【補正対象書類名】特許請求の範囲
【補正対象項目名】全文
【補正方法】変更
【補正の内容】
【特許請求の範囲】
【請求項１】
給紙部と、該給紙部の上に設けられた画像形成部と、上記給紙部の背面より突出させて設けた排風部を備え、該排風部がその下面に排風口または排気口を備えることを特徴とする画像形成装置。
【請求項２】
給紙部と、該給紙部の上に設けられた画像形成部とを有する画像形成装置において、上記画像形成部内からの排風口を有する排風部を上記給紙部の背面よりも突出させて設け、上記排風口を、該排風口からの排風または排気が上記給紙部の背面の少なくとも一部に沿って下方へ排出されるように設けてなることを特徴とする画像形成装置。
【手続補正２】
【補正対象書類名】明細書
【補正対象項目名】０００５
【補正方法】変更
【補正の内容】
【０００５】
本発明の画像形成装置のうち請求項１に係るものは、上記目的を達成するために、給紙部と、該給紙部の上に設けられた画像形成部と、該画像形成部の背面に上記給紙部の背面より突出させて設けた排風部を備え、該排風部がその下面に排風口または排気口を備えることを特徴とする。
【手続補正３】
【補正対象書類名】明細書
【補正対象項目名】０００６
【補正方法】変更
【補正の内容】
【０００６】
同請求項２に係るものは、給紙部と、該給紙部の上に設けられた画像形成部とを有する画像形成装置において、上記画像形成部内からの排風口を有する排風部を上記給紙部の背面よりも突出させて設け、上記排風口を、該排風口からの排風または排気が上記給紙部の背面の少なくとも一部に沿って下方へ排出されるように設けてなることを特徴とする。
【手続補正４】
【補正対象書類名】明細書
【補正対象項目名】００１５
【補正方法】変更
【補正の内容】
【００１５】
排風部３０は、図２〜図４からわかるように、画像形成部２０の背面に装着するパネル３１と、このパネル３１内側に形成した凹所３２、３３のいずれかあるいは双方に設ける図示せぬファンとからなる。パネル３１は、図示のように給紙部２１の背面と面一状態で設ける下側部３４と、給紙部２１の背面から段差分だけさらに背面側へ突出する上側部３５と、両部３４、３５の間に位置する段差面部３６その他周縁部等からなり、上述のファンを設けるための凹部３２、３３は上側部３５の内側に設けてあり、段差面部３６には多数のスリット３７で形成される排風口３８（または排気口：以下では排風口という。）と吸気口３９が左右に位置するように設けてある。またパネル３１の凹部３２、３３は、ファンを取り付ける上部を残し、下部をパネル材４０で覆って通風路を形成するようになっている。なおパネル３１の表面は画像形成部２０の背面を構成するが、この面は平坦面としてあり、このため画像形成装置を壁等にごく近付けても設置できる。
【手続補正５】
【補正対象書類名】明細書
【補正対象項目名】００１８
【補正方法】変更
【補正の内容】
【００１８】
上述してきた画像形成装置の背面を図５に示すように壁４３にぴったりと付けて作動させたとすると、画像形成部２０内で生じた熱気は、排風部３０の排風口３８からパネル３１の下側部３４及び給紙部２１の背面と壁４３との間を下方へ向けて吹き出される。この空気流は、周囲の空気よりも温度が高い場合がほとんどであるので、給紙部２１の背面に沿って下方へ吹き出されても、給紙部２１の背面の少なくとも一部には沿って下降する。ただし結局は、画像形成部２０や給紙部２１の側面近傍等から、また背面側からも上昇してゆくが、それまでに周囲の空気と混ざって温度が低下するので、かりに画像形成装置の前面側へ回り込んで操作者に吹きかかったとしても、操作者が熱気や温かさを感じることはほとんどない。
【手続補正６】
【補正対象書類名】図面
【補正対象項目名】図１
【補正方法】変更
【補正の内容】
【図１】
2005258474.tif 000008
【手続補正７】
【補正対象書類名】図面
【補正対象項目名】図２
【補正方法】変更
【補正の内容】
【図２】
2005258474.tif 000009